(57)【要約】      （修正有）【課題】電池パックの体積変化に関係なく、安定的に電池パックを保持できる携帯電子機器の電池パック収納部構造を提供する。【解決手段】電池パック１の一端部に突出成形する第１突起４を係止できる係止爪５を機器本体の収納ポケット中に突起させ、前記電池パックの他端部の第２突起８を受入れる凹所を前記収納ポケット端壁に形成すると共に、前記電池パックの対応端面に接触できるゴムブロック７を前記係止爪側の収納ポケット端壁に配置し、同ゴムブロックで電池パックを前記凹所に向かって押圧した携帯電子機器の電池パック収納部構造。【選択図】図６
2009026582.tif 000002
【特許請求の範囲】
【請求項１】
電池パックの一端部に突出成形する第１突起を係止できる係止爪を機器本体の収納ポケット中に突起させ、前記電池パックの他端部の第２突起を受入れる凹所を前記収納ポケット端壁に形成すると共に、前記電池パックの対応端面に接触できるゴムブロックを前記係止爪側の収納ポケット端壁に配置し、同ゴムブロックで電池パックを前記凹所に向かって押圧したことを特徴とする携帯電子機器の電池パック収納部構造。
【請求項２】
前記収納ポケットに臨んだ機器本体の一部には電池パックの厚み方向に弾性をもたされた接触子が支持され、同接触子の先端部は電池パックの表面に露呈された電極板に弾力的に接触されることを特徴とする請求項１記載の携帯電子機器の電池パック収納部構造。
【請求項３】
前記携帯電子機器は携帯電話機であることを特徴とする請求項１または請求項２の何れかひとつに記載の携帯電子機器の電池パック収納部構造。
【発明の詳細な説明】
【技術分野】
【０００１】
本発明は携帯電子機器に関し、特に、携帯電子機器の電池パック収納部構造に関する。
【背景技術】
【０００２】
周知のように、例えば携帯電話機のような携帯電子機器においては、電力容量の非常に大きなリチューム電池が電池パックとして用いられるが、同リチューム電池の体積は、滿充電の場合、非充電時に比較して約３％程度も増大するが、この電池パックの体積変化は、その厚み方向の寸法を著しく変化させる。
【０００３】
このような体積変化を吸収するため、従来では、電池パックを入れる収容ポケットの裏蓋の内面に、スポンジやフェルト等の弾性シートを貼着し、裏蓋により収容ポケットからの抜け出しを防止される電池パックの体積変化を同弾性シートの変形で吸収している。
【特許文献１】特開２００６−２６９２９２号公報
【特許文献２】特開２００４−２６６６２５号公報
【発明の開示】
【発明が解決しようとする課題】
【０００４】
しかしながら、従来のこのような弾性シートによる体積変化吸収手段では、体積が小さな状態の電池パックが収容ポケット内で「ガタ」つき、帯行者に違和感を与えるばかりでなく、電池パックの電極板と機器本体の接触子との間で所謂「チャタリング」を起こし、電力供給状態が不安定になり、携帯機器の動作不良の原因となる場合があった。
本発明の目的は、以上に述べたような従来の携帯電子機器の問題に鑑み、電池パックの体積変化に関係なく、安定的に電池パックを保持できる携帯電子機器の電池パック収納部構造を得るにある。
【課題を解決するための手段】
【０００５】
この目的を達成するため、本発明は、電池パックの一端部に突出成形する第１突起を係止できる係止爪を機器本体の収納ポケット中に突起させ、前記電池パックの他端部の第２突起を受入れる凹所を前記収納ポケット端壁に形成すると共に、前記電池パックの対応端面に接触できるゴムブロックを前記係止爪側の収納ポケット端壁に配置し、同ゴムブロックで電池パックを前記凹所に向かって押圧した携帯電子機器の電池パック収納部構造を提案するものである。
【発明の効果】
【０００６】
本発明によれば、充電状態で変化する電池パックの体積変化（主として厚み方向の寸法変化となって表れる）に無関係に、ゴムブロックで押圧された状態で電池パックが係止爪及び凹所により収容ポケット中に確実に保持されるから、電池パックが収容ポケット内で「ガタ」ついて、帯行者に違和感が与えられ、電力供給状態が不安定になるのを防止できる。
【発明を実施するための最良の形態】
【０００７】
本発明は、次のような好ましい実施形態で実施できる。
１）前記収納ポケットに臨んだ機器本体の一部には電池パックの厚み方向に弾性をもたされた接触子が支持され、同接触子の先端部は電池パックの表面に露呈された電極板に弾力的に接触される請求項１記載の携帯電子機器の電池パック収納部構造。
２）前記携帯電子機器は携帯電話機であることを特徴とする請求項１または前項の何れかひとつに記載の携帯電子機器の電池パック収納部構造。
【実施例１】
【０００８】
以下、図面について本発明の実施例の詳細を説明する。
図面中、符号「１」はリチューム電池等の電池パックを、符号「２」は電池パックを収容できる裏面開放の収納ポケットを内部に形成された携帯電話機の樹脂製機器本体をそれぞれ示している。
【０００９】
略直方体ブロック状に成形される電池パック１の左端部の幅方向一側には小さな第１突起４が突出成形され、この第１突起４に臨む収納ポケット３の底面には第１突起４を係止できる係止爪５が一体成形され、同係止爪５により収納ポケット３からの電池パック１の左端部の抜出しが阻止される。
また、前記電池パック１の左端部の他側に臨んだ収納ポケット３の底部には、機器本体２から直角に突出された固定片６が一体成形され、固定片６に対応するスロット７ａを形成されたゴムブロック７（ゴムブロック）が嵌め込み固定される。
電池パック１が収納ポケット３に組み込まれるとき、前記ゴムブロック７の先端面が電池パック１の端面に当ってゴムブロック７が圧縮され、電池パック１を長さ方向に押圧できる。
【００１０】
また、前記電池パック１の右端部には小さな２つの第２突起８が一体成形され、これらの第２突起８に臨む収納ポケット３の内部には対応第２突起８をそれぞれ挿入できる凹所９が機器本体２に形成される。したがって、凹所９に対する第２突起８の挿入状態では電池パック１の右端部が凹所９で係止され、電池パック１の右端部がその厚み方向に抜出すのが阻止される。
【００１１】
一方、前記電池パック１は長さ方向側方に張り出した接続端子１ａを有し、この接続端子１ａに臨む機器本体２の側壁にはプリント配線基板１１に固定した電源ブロック１２が臨まされる。即ち、同電源ブロック１２は突出方向にばねで付勢される接触子１４を有し、同接触子１４の先端部が前述した接続端子１ａの電極板１５に弾力的に接触される（図５図示）。
【００１２】
図示実施例による携帯電話機の電池パック収納部構造は、以上のような構造であるから、図６及び図７に示すような手順で機器本体２の収納ポケット３に電池パック１を組み込むことができる。
先ず、電池パック１の左端部を下に向けて同左端部の第１突起４を係止爪５に引掛け（図７に１点鎖線で示す。）、次に、図７に２点鎖線で示すように、前記係止爪５を支点として電池パック１の右端部を下降させれば、電池パック１の第２突起８が凹所９に一致し、右方向へのゴムブロック７の押圧力により第２突起８が凹所９中に押し込まれ、電池パック１が機器本体２に固定される。
【００１３】
機器本体２に対する電池パック１の固定状態は、図３に２点鎖線で示す携帯電話機の裏蓋１５に対して無関係な状態（裏蓋１６の内面にスポンジやフェルトは設けられておらず、裏蓋１６に電池パック１が全く接触していない状態）で、しかも電池パック１が機器本体２に確実に固定されるから、接続端子１ａの電極板１５と接触子１４との間の接触状態が不安定になることはなく、「チャタリング」による動作不良が起きるのを未然に防止できる。
また、機器本体２に対する電池パック１の固定状態では、電池パック１が裏蓋１６に全く接触せず、裏蓋１６と電池パック１との間に空間が形成された状態のため、充電状態により電池パック１の体積が変化（主として電池パック１の厚み方向の長さが変化する。）に拘わらず、安定した固定状態を維持できる。
【００１４】
機器本体２から電池パック１を取出すには、機器本体２から裏蓋１６を外した後、前述とは逆に、ゴムブロック７の押圧力に抗して電池パック１を左端部方向に押せば、凹所９から第２突起８が外れるので、収納ポケット３から電池パック１を取出すことができる。
【産業上の利用可能性】
【００１５】
前述した実施例の説明においては、本発明を携帯電話機に適用したものを例示したが、本発明は携帯端末等の他の携帯電子機器にも適用できる。
【図面の簡単な説明】
【００１６】
【図１】裏蓋を取り除いて示す本発明による携帯電話機の裏面斜視図である。
【図２】裏蓋を取り除いて示す同携帯電話機の平面図である。
【図３】裏蓋を取り除いて示す同携帯電話機の一部破断側面図である。
【図４】図３のＡ部拡大断面図である。
【図５】図３のＢ部拡大断面図である。
【図６】電池パックと携帯電話機の本体との関係を示す分解斜視図である。
【図７】携帯電話機本体に対する電池パックの組込み手順説明図である。
【符号の説明】
【００１７】
１  電池パック
２  機器本体
３  収納ポケット
４  第１突起
５  係止爪
６  固定片
７  ゴムブロック
８  第２突起
９  凹所
１３  接触子
１５  電極板
１６  裏蓋
【図１】
2009026582.tif 000003
【図２】
2009026582.tif 000004
【図３】
2009026582.tif 000005
【図４】
2009026582.tif 000006
【図５】
2009026582.tif 000007
【図６】
2009026582.tif 000008
【図７】
2009026582.tif 000009